(57)【要約】【課題】本発明の目的は、サーバ製品のように複雑なコンピュータシステムの構成作成を短時間で実施可能なコンピュータシステムの構成作成支援システムを提供する。【解決手段】システムの部品情報および部品の組み合わせ制約条件が格納されたデータベースと、該部品情報および制約条件を参照して構成情報を作成するコンピュータ装置と、該作成された構成情報が格納されたデータベースと、コンピュータ装置とネットワークを介して接続される端末装置とを備えたシステムにおいて、作成された構成情報の内容をデータ列として格納する手段と、少なくとも１つ以上のデータ列を端末装置に表示する手段と、表示されたデータ列から構成情報を選択する手段とを備えた。【効果】コンピュータシステムの見積書を正確かつ迅速に提供可能する。【選択図】  図１
2004259226.tif 000002
【特許請求の範囲】
【請求項１】
コンピュータシステムの構成作成支援システムであって、コンピュータシステムの部品情報および部品の組み合わせ制約条件が格納されたデータベースと、該部品情報および制約条件を参照して構成情報を作成するコンピュータ装置と、該コンピュータ装置を利用して作成された構成情報が格納されたデータベースと、該コンピュータ装置とインターネット等のネットワークを経由して接続された端末装置とを備えたシステムにおいて、該作成された構成情報の内容をデータ列として格納する手段と、少なくとも１つ以上の該データ列を該端末装置に表示する手段と、表示されたデータ列から構成情報を選択する手段と、該選択された構成情報を該コンピュータ装置により読み込む、表示、修正、保存を可能としたことを特徴とするコンピュータシステムの構成作成支援システム。
【請求項２】
請求項１記載のコンピュータシステムの構成作成支援システムにおいて、前記データ列は予め定義した変換テーブルを用いて前記構成情報から変換して作成することを特徴とするコンピュータシステムの構成作成支援システム。
【請求項３】
請求項１または２記載のコンピュータシステムの構成作成支援システムにおいて、前記データ列に構成情報の内容に含まれないデータを追記可能としたことを特徴とするコンピュータシステムの構成作成支援システム。
【請求項４】
請求項１から３記載のコンピュータシステムの構成作成支援システムにおいて、前記データ列のデータに基づき前記端末装置に表示するデータ列を検索することおよび表示順序を並べ替えることを可能としたことを特徴とするコンピュータシステムの構成作成支援システム。
【請求項５】
請求項１から４記載のコンピュータシステムの構成作成支援システムにおいて、前記データ列の項目が電子文書の参照情報を含むこと、前記端末装置に表示されたデータ列を選択することにより前記電子文書が参照できることを特徴とする、コンピュータシステムの構成作成支援システム。
【請求項６】
請求項５記載のコンピュータシステムの構成作成支援システムにおいて、前記端末装置に表示するデータ列が前記電子文書に所望の文字列が含まれるか否かをもとに決定されることを特徴とするコンピュータシステムの構成作成支援システム。
【請求項７】
請求項１から６記載のコンピュータシステムの構成作成支援システムにおいて、構成情報が選択された回数をカウントすること、カウントした回数を前記データ列に含めることを特徴とする、コンピュータシステムの構成作成支援システム。
【請求項８】
請求項１から７記載のコンピュータシステムの構成作成支援システムにおいて、修正した構成情報を修正前の構成情報とは別に保存することを特徴とするコンピュータシステムの構成作成支援システム。
【請求項９】
請求項１または２記載のコンピュータシステムの構成作成支援システムにおいて、前記データ列のデータは、タイトル、部品名称、価格、作成日のいずれかを含むことを特徴とするコンピュータシステムの構成作成支援システム。
【請求項１０】
請求項３記載のコンピュータシステムの構成作成支援システムにおいて、追記するデータは、用途、ソフトウェア、ユーザ数のいずれかを含むことを特徴とするコンピュータシステムの構成作成支援システム。
【請求項１１】
コンピュータシステムの部品情報および部品の組み合わせ制約条件が格納された第１のデータベースと、前記第１のデータベースを参照してシステム構成情報を作成するコンピュータ装置と、前記システム構成情報を作成者ＩＤと共に格納する第２のデータベースと、前記コンピュータ装置とネットワークを介して接続され、第２のデータベースの参照、表示、編集をおこなう端末装置とを備え、前記端末装置から編集されたシステム構成情報を編集をおこなったユーザのＩＤとともに第２のデータベースに保存することを特徴とするコンピュータシステムの構成作成支援システム。
【発明の詳細な説明】
【０００１】
【発明の属する技術分野】
コンピュータシステムの構成作成を支援するシステムに関する。特に、多数の部品が複雑に組み合わされたサーバ等の高機能コンピュータシステムの構築に好適である。
【０００２】
【従来の技術】
近年、コンピュータ装置のオープン化に伴い、オペレーティングシステム、プロセッサ、メモリ、ハードディスク、機能拡張ボードなどの、コンピュータ装置の構成部品を組み合わせて、用途や予算に合致したコンピュータ装置を構成することが可能となっている。しかしコンピュータ装置の構成部品は数百種類にわたるうえ、それらの組み合わせ制約が複雑であり、制約に合致した条件で構成を作成するには大変な労力を要していた。また、前記のような事情から構成部品の組み合わせに間違いが発生しやすく、メーカ側ではその修正作業、ユーザ側では動作不良等の不都合が生じていた。
【０００３】
上記事情から、コンピュータシステムの部品情報ならびにその制約条件をコンピュータシステムにより管理し、組み合わせ可能な部品情報のみを端末装置に表示して選択可能させることにより、正確な部品組み合わせ情報を短時間で作成可能な方式が実用化されている。こうしたコンピュータシステムをインターネットと接続させることにより、遠隔地から構成情報の作成を可能とすることがおこなわれている（例えば、特許文献１参照）。前記従来技術では、商品知識を持たないユーザが短時間で構成作成が可能なように、「推奨スペック」の構成を、型番／型名、品名により検索するか、または商品カテゴリを選択することにより段階的な絞り込みが可能な工夫がなされている。これらの結果、該当する「推奨スペック」の型番／型名、品名、価格、日付等が一覧表示され、所望の「推奨スペック」を選択することにより、システム構成作成入力画面に移動し、詳細な構成情報が表示され、部品の表示、組み換えが可能となる。
【０００４】
【特許文献１】
特開２００１−３３１５０５号公報
【０００５】
【発明が解決しようとする課題】
上記従来技術は実用化が進展し、この結果ノートパソコンやデスクトップパソコンの様な簡単なコンピュータシステムの構成作成は大幅に簡易化されている。しかし、サーバ製品のような複雑なコンピュータシステムの構成作成では上記従来技術では解決できない課題が残っている。
【０００６】
ここで、サーバ製品について説明しておく。サーバ製品は、高速性、信頼性が要求されるため、ノートパソコンやデスクトップパソコンより格段に部品数が多く、また複雑な構成となっている。すなわち、複数のコンピュータ装置が１台のラックに搭載され信頼性を確保するためにソフトウェアまたはハードウェアにより２重化されたもの、複数の特定用途コンピュータをラックに搭載しそれらを接続することにより協調して動作させるようにしたの、等が存在する。これらは複数のコンピュータを単に並べて搭載しただけでなく、相互に関連を持たせた動作が可能なように複雑な接続を定義する必要がある。
【０００７】
さらに、必要となる性能、信頼性に応じて、外部接続デバイス、特定用途拡張基板、無停電電源装置、異常警報装置、等の機器を接続する場合がある。さらに、電力や空調の環境を整備するための設置サービス、導入後のメンテナンスを実施するための保守サービスプログラム、等の定義が必要となっている。このため、サーバ製品では、単一の機種であってもユーザが要求する性能、信頼性のレベルにより、価格の幅がノートパソコンやデスクトップパソコンとは比較にならないほど広くなる特徴がある。こうした場合、構成作成にあたっては、性能、信頼性、価格の点で様々な構成同士を比較して、ユーザの希望に最も近接した構成を絞り込むことが重要となる。
【０００８】
さらに、サーバ製品の他の特徴として、様々なレベルの多数のユーザが同時に使用し、しかも、同時利用者数が時間に応じて変動するため、システムにかかる負荷が時間によって大きく変動することがある。また、こうした負荷の変動はサーバの使用用途によって大きく異なる。このため、サーバ製品の構成作成においては、想定される使用条件（用途、負荷）において実用的な速度で動作可能な最低価格の構成を正確に決定すること、すなわち、サイジングが課題となる。実際の構成作成においては、こうした最低価格の構成を基準として、予算に応じて性能を向上させる構成変更を加えることになる。このようなサイジングでは、用途に応じたソフトウェアをサーバに実際に搭載し、サーバの性能が異なる構成（ＣＰＵ、メモリ、ＨＤＤ容量、等）ごとに、負荷（同時ログインユーザ数、等）の増加に対する応答速度の低下を測定し、ユーザの仕様を満足する最低価格の構成を選定する実地検証が必要となる。このため、こうした実地検証を経て作成された構成情報は、使用条件（用途、負荷）と関連付けて再活用することにより、実地検証の手間を省くことができるメリットが生じる。
【０００９】
これに対して、上記従来技術では、商品知識を持たないユーザが短時間で構成作成が可能なように、「推奨スペック」の構成を、型番／型名、品名により検索するか、または商品カテゴリを選択することにより段階的な絞り込みが可能な工夫がなされている。しかし、従来技術をサーバ製品に対して適用する場合、以下の問題がある。
【００１０】
すなわち、型番／型名、品名により「推奨スペック」の構成を検索する場合、構成部品の多いサーバ製品では型番／型名、品名が複雑となりやすいため、商品知識を持たないユーザが検索条件を指定できない問題がある。また、「推奨スペック」を選択する画面では部品レベルの情報が表示されていないため、構成同士を部品レベルで比較して、性能と価格のバランスを考慮して自分が最も欲しい構成を選択することが困難である。
【００１１】
一方、商品カテゴリを選択することにより「推奨スペック」の構成を段階的に絞り込む場合、構成部品の多いサーバ製品では商品カテゴリが複雑になりやすいため、ユーザが予め想定された検索ルートにそぐわない条件で検索することが生じる。また、予め用意する「推奨スペック」の構成を上記の検索ルートに分類しておく必要があり、管理者の負荷が増大することとなる。
【００１２】
さらに、上記従来技術では、メーカが推奨する「推奨スペック」の検索は可能であるが、実際にユーザが作成した構成事例、販売事例の検索は実施できない。また、これら構成事例、販売事例の検索では重要となる、使用条件（用途、負荷）を入力とした検索が実施できず、サイジングが実地検証されている構成情報を再利用することが困難である。また、事例の追加が容易におこなえないため、ユーザの要求を満足できない問題もあった。
【００１３】
本発明は上記事情に鑑みなされたもので、サーバ製品のように複雑なコンピュータシステムの構成作成を、商品知識を持たない初心者でも短時間で実施可能なコンピュータシステムの構成作成支援システムを提供することを目的とする。特に、従来技術と比べて、多数の推奨構成から所望のものを迅速かつ正確に選定できるように工夫した。また、こうした推奨構成の管理を簡易化できる点も優れている。さらに、推奨構成のみでなく、ユーザが実地検証して作成した構成事例を有効に再活用できる特徴も備えている。
【００１４】
【課題を解決するための手段】
上記課題を解決するため、本発明では以下の構成を持たせることとした。
まず、コンピュータシステムの構成作成支援システムであって、コンピュータシステムの部品情報および部品の組み合わせ制約条件が格納されたデータベースと、該部品情報および制約条件を参照して構成情報を作成するコンピュータ装置と、該コンピュータ装置を利用して作成された構成情報が格納されたデータベースと、該コンピュータ装置とインターネット等のネットワークを経由して接続された端末装置とを備えたシステムにおいて、該作成された構成情報の内容をデータ列として格納する手段と、少なくとも１つ以上の該データ列を該端末装置に表示する手段と、表示されたデータ列から構成情報を選択する手段と、該選択された構成情報を該コンピュータ装置により読み込むこと、表示すること、修正すること、保存することを可能とした。
【００１５】
また、前記データ列は予め定義した変換テーブルを用いて前記構成情報から変換して作成することとした。
【００１６】
また、前記データ列に構成情報の内容に含まれないデータを追記可能としたこととした。
【００１７】
また、前記データ列のデータに基づき前記端末装置に表示するデータ列を検索すること、表示順序を並べ替えることを可能とした。
【００１８】
また、前記データ列の項目が電子文書の参照情報を含むこと、前記端末装置に表示されたデータ列を選択することにより前記電子文書が参照できることとした。
【００１９】
また、前記端末装置に表示するデータ列が前記電子文書に所望の文字列が含まれるか否かをもとに決定されることとした。
【００２０】
また、構成情報が選択された回数をカウントすること、カウントした回数を前記データ列に含めることとした。
【００２１】
また、修正した構成情報を修正前の構成情報とは別に保存することとした。
また、コンピュータシステムの構成作成支援システムであって、コンピュータシステムの部品情報および部品の組み合わせ制約条件が格納されたデータベースと、該部品情報および制約条件を参照して構成情報を作成するコンピュータ装置と、該コンピュータ装置を利用して作成された構成情報が作成者ＩＤと共に格納されたデータベースと、該コンピュータ装置とインターネット等のネットワークを経由して接続された端末装置とを備えたシステムにおいて、該格納された構成情報を作成者以外のユーザが該コンピュータ装置に読み込むこと、該端末装置に表示すること、修正すること、修正した構成情報を前記ユーザのＩＤと共に保存することとした。
上記構成の有用性は以下の実施例において詳細に述べる。
【００２２】
【発明の実施の形態】
以下、図面を用いて本発明にかかわる実施の形態を説明する。
図１は本発明にかかわる第１の実施の形態によるシステムの全体構成を示すブロック図である。
【００２３】
エンドユーザ端末１ａは、インターネット１ｂなどのネットワークに接続可能なパーソナルコンピュータからなり、ＨＴＭＬやＸＭＬなどで記述されたウェブページを閲覧するためのウェブブラウザが起動可能な端末である。なお、同図の例ではエンドユーザ端末１ａが１つしか示していないが、複数存在してもよい。
【００２４】
コンピュータシステム構成支援システム１ｃは、インターネット１ｂなどのネットワークに接続され、コンピュータシステムの構成作成を支援するサービスをウェブページにて提供する。すなわち、エンドユーザ端末１ａからの入力を受けて、構成情報データベース１ｄに蓄積されている製品データ情報１ｅと構成制約情報１ｆを参照１ｊし、エンドユーザ端末１ａに構成作成支援のためのウェブページを出力する。構成情報データベース１ｄに格納されている製品データ情報１ｅと構成制約情報１ｆは、製品の情報を管理する製品データ管理システム１ｇから転送１ｈされたものである。コンピュータシステム構成支援システム１ｃにおいて作成される構成情報１ｉは構成情報データベース１ｄに格納１ｋされる。格納された構成情報１ｉはコンピュータシステム構成作成支援システム１ｃに呼び出され１ｌ、発注システム１ｍ、生産システム１ｎに転送される。以上の構成により、インターネットなどのネットワークを媒介し、遠隔地からコンピュータシステムの構成作成、発注、生産までの手配を実施できる。
【００２５】
構成情報検索システム１ｏは、本発明にかかわる実施形態が備える特徴であり、インターネット１ｂなどのネットワークに接続され、構成情報１ｉの検索サービスをウェブページにて提供するものである。構成情報検索システム１ｏは、エンドユーザ端末１ａから入力された検索条件１ｐを受け取り、検索条件に基づき検索情報１ｑを検索し、検索結果１ｒをエンドユーザ端末１ａのウェブページに表示する。さらに、エンドユーザ端末１ａからの入力に従い、検索情報１ｑに対応する構成情報１ｉを特定１ｓし、コンピュータシステム構成支援システム１ｃを経由してエンドユーザ端末１ａに表示する。前記の検索情報１ｑは検索情報データベース１ｖに格納され、構成情報から抽出された部品情報１ｔと、エンドユーザ端末から入力されるタイトル１ｕからなる。本システムにより、多数存在する既存の構成情報からエンドユーザが参照したい構成情報を迅速に特定できる利点がある。同システムの有する特徴、有用性は、以下の詳細な説明により明らかになる。
【００２６】
図２は本発明にかかわる第１の実施の形態によるシステムの動作フローである。以下、同図および図１を参照しながら、各ウェブページの機能について説明する。
【００２７】
まず、コンピュータシステムに熟知したユーザ、例えばシステムエンジニア等が構成情報を新規に作成するフローについて説明する。これは図２の２ｂから２ｇに該当するものである。
【００２８】
図３はコンピュータシステム構成支援システムのトップページであり、図２の２ａに該当する。同画面は図１のコンピュータシステム構成支援システム１ｃに格納されたＨＴＭＬやＸＭＬなどで記述されたウェブページが図１のエンドユーザ端末１ａに表示されたものである。以下の説明で使用する画面も同様な原理によりエンドユーザ端末１ａに表示されたものである。図３のトップページでは、構成情報を提供する企業３ａ、代理店３ｂ、企業顧客ユーザ３ｃ、個人顧客ユーザ３ｄに入り口が分かれている。これは、以降のウェブページで表示される情報の内容を区別するために、入り口を分けたものである。例えば、提供企業の社員に対しては守秘性の高い情報まで表示するのに対して、代理店に対してはその代理店が主に扱う商材のみを表示し、企業顧客ユーザに対してはＰＣサーバ等をメインに表示し、個人顧客ユーザに対してはノートＰＣやデスクトップＰＣをメインに表示する。このことで、アクセス頻度の高い情報をウェブページの目立つ位置に表示できる。
【００２９】
図４はユーザ認証画面であり、図２の２ｂに該当する。構成情報は、競合他社に対しては守秘性の高い情報であるため、ユーザ認証を設ける。予めユーザＩＤ４ａとパスワード４ｂを付与されたユーザのみが以降のウェブページを参照できる。ただし、代理店や取引関係のある企業顧客ユーザや個人顧客ユーザは、システムを活用することによりコンピュータシステムの見積作業が容易化して販売促進が見込めるため、ユーザＩＤ４ａとパスワード４ｂを付与しても良い。
【００３０】
図５は機能一覧画面である。同画面のメニューには、図１のコンピュータシステム構成作成支援システム１ｃが提供する機能が並んでいる。構成作成を最初から行う場合は図５の構成作成５ａを選択する。これは、図２の２ｃに該当する。構成修正５ｂ、構成検索５ｃについては後述する。購入申込／取消／訂正５ｄは、作成した構成情報を読み出し、図１の発注システム１ｍに転送して発注作業を行うメニューである。
【００３１】
図６は機種選定の画面であり、図５の構成作成５ａのサブメニューに相当である。また、図２の２ｄに該当する。機種選択では、ノートＰＣ６ａ、デスクトップＰＣ６ｂ、ＰＣサーバ６ｃ等を選択することで、以降のウェブページで表示される情報の内容が区別される。また、筐体の種類が複数あるＰＣサーバ６ｃについては、サブメニューとしてラック６ｄ／キャビネット６ｅを選択する。
【００３２】
図７〜図１１は構成作成の詳細画面であり、図２の２ｅに該当する。以下、図６の機種選定においてＰＣサーバ６ｃのラック６ｄが選択された場合を例にとり、ＰＣサーバの構成作成の内容を説明する。
【００３３】
図７はラッキングタブ７ａが選択された画面であり、ラックに搭載する機器を選択する画面である。同図左側にある搭載機器７ｂの欄から、ラックに搭載する機器名の追加ボタン７ｃを押すことによりラックの絵７ｄに機器の絵７ｅが重ねて表示される。ここで、機器の搭載位置は図９で説明するケーブル長さに関係する。
【００３４】
図８は図７のサブ画面であり、搭載機器の部品構成を決定する。図７のラックに搭載された機器の絵７ｅをクリックすることにより図８の画面へ移動する。同図は、コンピュータシステム○○○８ａの部品選択の例であり、ＯＳ、プロセッサ、等の部品を選択するプルダウンメニュー８ｂが並んでいる。同図に最初に表示されている部品が推奨構成であり、このまま保存しても正常に動作するシステムが完成する。初心者でも最低限の構成作成が可能なように工夫されている。また、各部品プルダウンメニュー８ｂを選択すると、図１の構成制約情報１ｆに基づき図１の製品データ情報１ｅから抽出された部品が表示される。このことにより、紙のマニュアルを参照することなく正確な構成作成が可能となる。部品選択が終了すると、確定ボタン８ｃを押す。以上の操作をラックに搭載した機器の数だけ繰り返す。
【００３５】
図９はケーブル接続タブ９ｆが選択された画面であり、図７のラックに搭載された機器の各種ケーブルを接続する画面である。画面上方にケーブル種類のボタン９ａが並んでいる。同図は電源ボタン９ｂが選択された例であり、電源関係のケーブルの接続関係、ケーブル長を定義する。電源ボタン９ｂが押されると、始点となるコネクタは○９ｃで、終点となるコネクタは□９ｄで表示される。○９ｃと□９ｄの間を接続することにより、ケーブル９ｅの長さが自動的に計算される。各種ケーブル９ａの接続をすべて終了させることにより、本画面を終了できる。
【００３６】
図１０はサービスタブ１０ｄが選択された画面であり、サービス内容を定義する画面である。ＰＣサーバ等の高性能コンピュータシステムは据付工事等のサービスが必要となる。このため、工事の有無１０ａ、配送時間指定１０ｂ、配送地区１０ｃを指定して、サービス費用、送料の計算を自動で行う。
【００３７】
図１１は構成内容表示タブ１１ａが選択された画面であり、構成作成の結果を確認したり、保存、出力するための画面である。構成保存ボタン１１ｅを押すと、図１の製品情報データベース１ｄに構成情報１ｉが保存される。これは図２の２ｆに該当する。また、出力ボタン１１ｆを押すと構成情報が電子ファイルとして保存されたり印刷されたりして、見積書の作成に活用できる。さらに、発注ボタン１１ｇを押すことにより、表示された内容の構成情報１ｉが図１の発注システム１ｍに転送される。これらは図２の２ｈに該当する。
【００３８】
以上、図７〜図１１の画面によりサーバ製品の構成作成が完了した。このように、多数の部品を選択したり、接続関係を定義する等により、新規構成作成には平均７時間を要していた。
【００３９】
図１２ａは検索情報の入力画面であり、図２の２ｇに該当する。図１１の構成保存１１ｅが押されるとこの画面に遷移する。同画面は後ほど詳述する構成情報を検索するための情報を入力する画面であり、本発明において重要な画面である。まず、作成した構成情報のタイトル１２ａを文字列として入力する。次に、作成した構成情報の内容に関する検索情報をプルダウンメニュー１２ｄから選択する。価格１２ｂや作成日時１２ｃのような数値はテキスト入力する。全ての検索条件を入力し終えると検索情報保存ボタン１２ｅを押す。ここで、タイトルが既に存在するものと重複する場合、再入力するようにアラームが表示される。また、検索情報のなかに未定義のものがあると定義を促すアラームが表示される。タイトルが既存のものと重複せず、全ての検索情報が選択されていれば、検索情報が図１の検索情報データベース１ｖに格納される。
【００４０】
図１２ｂは検索情報の他の入力画面の例である。構成情報のタイトル１２ｆを文字列として入力することは図１２ａと同様である。しかし、図１２ａでプルダウンメニューからユーザが選択して検索情報を構成情報から自動的に抽出することができる。同画面では、タイトル１２ｆのみを入力して検索条件保存ボタン１２ｅを押せばよい。
【００４１】
図１２ｃは検索情報を構成情報から自動的に抽出する際に利用する検索条件変換テーブルの例である。同テーブルの活用方法について説明すれば、図１１の構成保存１１ｅが押されると、図１のコンピュータシステム構成支援システム１ｃは構成情報１ｉを製品情報データベース１ｄに格納するとともに、同システムに格納されている前記テーブルと保存する構成情報を比較する。例えば、構成情報に機種○○○のコンピュータシステムが含まれていた場合、図１２ｃのテーブルの機種○○○１２ｇを参照して、検索情報の製品カテゴリをミッドレンジ１２ｈとし、図１２ｂの製品カテゴリ欄１２ｉにミッドレンジを表示する。図１２ｂの検索情報登録ボタン１２ｅが押されると、図１の検索情報データベース１ｖに検索情報１ｑを格納する。これは図１の１ｕに該当する。図１２ｂではタイトル１２ｆをユーザが入力する必要がるが、構成情報をシステムが組み合わせてタイトルを自動作成したり、システムが勝手にタイトルをつけたりすることにより図１２ｂのユーザ入力項目を無くし、図１２ｂをスキップさせても良い。
【００４２】
図１３は保存された検索情報の例である。検索情報ＩＤ１３ａは図１の検索情報データベース１ｖに検索情報が新規に格納される場合にシステムが内部的に採番する識別番号である。構成情報ＩＤ１３ｂは図１の製品情報データベース１ｄに構成情報１ｉが新規に格納される場合にシステムが内部的に採番する識別番号である。図１の構成情報検索システム１ｏからコンピュータシステム構成作成支援システム１ｃに、この構成情報ＩＤ１３ｂを送付することにより、検索情報と構成情報の対応付けがなされる。図１３のその他の項目は図１２ａまたは図１２ｂの画面で入力された検索情報であり、構成情報の代表的な構成部品の情報を有している。登録日１３ｃは構成情報が更新された日付である。回数１３ｄとは構成情報が読み出された回数を意味し、回数が多いほど引用頻度が高く、有用な構成情報であることが識別できる。作成者ＩＤ１３ｅとは、構成情報を新規に作成し保存したユーザの識別ＩＤであり、図４において入力されたユーザＩＤ４ａが構成情報保存時に保存されたものである。
【００４３】
以上の手続きにより、コンピュータシステムに熟知したユーザ、例えばシステムエンジニア等が構成情報を新規に作成するフローが終了する。これは、図２の２ｂから２ｇに相当する部分である。構成作成が終了すると、トップページに戻る。本発明では、従来実施されていた構成作成とは別に、図１３で説明したような検索情報が構成情報とひも付けられた状態で記録されていることに特徴がある。前記検索情報の有用性は以下の説明で明らかになる。
【００４４】
次に、先に作成した構成情報を検索して、修正または再活用するフローについて説明する。これは、図２の２ｉから２ｒに相当する部分である。図２のトップページからユーザ認証を経て機能一覧２ｊに至る経緯は上記実施例と同一である。図５の機能一覧画面において、構成修正５ｂを選択する。この結果、図１４の構成情報一覧の画面に遷移する。これは、図２の２ｋに該当する。同図では、ユーザが過去に作成した構成情報が一覧表示されている。すなわち、図１３作成者ＩＤ１３ｅと図４ユーザＩＤ４ａを比較して両者が一致する構成情報のみが表示される。ここで図１４において、図１３の検索情報が一覧表示されていることに本発明の特徴がある。すなわち、過去に作成した構成情報について、タイトルのみでなく、部品レベルの詳細な情報を一覧表示することにより、どの構成情報を選択すべきかが正確に把握できる特徴がある。特に部品点数の多いＰＣサーバでは、構成情報同士の違いが識別しにくいため、こうした部品レベルでの一覧表示による構成情報同士の比較が有用である。しかし、構成情報が多数となった場合、一覧表示された構成情報から所望のものを迅速かつ正確に特定することが困難となる。このため、一覧表示されている情報を用いた検索機能を持たせた。検索条件入力ボタン１４ａを押すことにより、図１５の検索条件入力画面に遷移する。
【００４５】
図１５の検索条件入力画面は図２の２ｌに該当する。検索条件の指定は、ＣＰＵ、ＯＳ、外付けデバイスのような部品情報はプルダウンメニュー１５ａを利用して選択する。タイトルについてはテキスト文１５ｂを入力としてテキスト検索を行う。また、価格１５ｃおよび保存日時１５ｄのような数値情報については範囲を指定して検索する。また、数値情報は、並べ替えを昇順または降順で指定可能とした。同図では、ラック１５ｅに搭載された構成情報のみを価格の昇順１５ｆに並べて表示する条件が設定されている。条件の指定が終了すると、検索実行ボタン１５ｇを押す。これにより、図１の構成情報検索システム１ｏが検索情報データベース１ｖに対して検索条件に基づく検索を開始する。これは図１の１ｐに該当する。
【００４６】
図１６は検索結果一覧画面であり、図１の１ｒ、図２の２ｎに該当する。画面上段には図１５で指定した検索条件１６ａが表示されている。画面下段には該当する構成情報が検索情報とともに表示されている。検索条件に従い、ラック１６ｂに搭載された構成情報が価格１６ｃの安い順に並んで表示されている。同画面を見比べることにより、所望のスペックの構成情報を迅速かつ正確に選択できる。所望の構成情報のタイトル１６ｄをクリックすることにより、図１１の構成内容表示画面に遷移する。これは図２の２ｏに該当する。図１においては、エンドユーザ端末１ａの画面で選択した情報が構成情報検索システム１ｏを介して検索情報データベース１ｖにおいて図１３の検索情報のどの検索情報ＩＤ１３ａであるかが識別され、対応する構成情報ＩＤ１３ｂが製品情報データベース１ｄに送られ、該当する構成情報１ｉがコンピュータシステム構成支援システム１ｃに読み込まれ、エンドユーザ端末１ａに図１１の画面が表示される。図１１では画面上段のタブを選択することにより、構成情報の修正および保存が可能である。これは図２の２ｐ、２ｑに該当する。構成情報を修正した後は、図１２ａまたは図１２ｂの画面において検索情報の修正を行う。これは図２の２ｒに該当する。
【００４７】
以上で、先に作成した構成情報を検索して、修正または再活用するフローが終了する。本発明では、一度保存した構成情報を修正する場合、どの構成情報を修正すべきかをタイトルのみでなく、図１４のような部品レベルで比較できる。さらに、図１５〜１６のような検索を実施することにより、多数の構成情報から迅速かつ正確に所望の構成情報を特定できる。
【００４８】
次に、本発明にかかわる有用な実施の形態である、コンピュータシステムに関する専門知識を有しないユーザが構成情報を検索、活用するフローについて説明する。
【００４９】
これは、図２の２ｓから２ｚｚｚに相当する部分である。図２のトップページからユーザ認証を経て機能一覧２ｔに至る経緯は上記実施例と同一である。図５の機能一覧画面において、構成検索５ｃを選択する。この結果、図１４の構成情報一覧の画面に遷移する。これは、図２の２ｕに該当する。本フローにおいては、図１４で表示される構成情報が他のユーザが作成したものであるところに特徴がある。すなわち、先に説明した構成情報を新規に作成するフロー（図２の２ｂから２ｇ）または構成情報を修正または再活用するフロー（図２の２ｉから２ｒ）においては、図１４で表示される構成情報が、図１３作成者ＩＤ１３ｅと図４ユーザＩＤ４ａを比較して両者が一致する構成情報のみであった。一方、今回（図２の２ｓから２ｚｚｚ）は、図１４で表示される構成情報が、図１３作成者ＩＤ１３ｅと図４ユーザＩＤ４ａを比較して両者が一致しない構成情報であることに特徴がある。この結果、図１４にはコンピュータシステムに熟知したユーザが作成した構成情報や実際に販売した事例を表示さることが可能となり、このなかから所望のものを選択し、参考にするか、または、微小な修正を加えて活用することにより、専門知識を有しないユーザであってもＰＣサーバ等の高機能コンピュータシステムの構成作成が可能となる。この際、どの構成情報を活用すべきかを迅速かつ正確に特定する必要がある。このため、本発明では、タイトルのみでなく、部品レベルの詳細な情報を一覧表示することにより、構成情報同士の違いを識別しやすくした。さらに、図１５〜１６で説明したような検索機能を持たせた。これは図２の２ｖから２ｘに該当する。
【００５０】
ここで、他のユーザが作成した構成情報を活用する場合の特徴について説明する。これは図２の２ｚｚに該当する。すなわち、他のユーザが作成した構成情報のオリジナルを保存するため、構成の新規保存機能を持たせた。以下、この新規保存機能について説明する。まず、図２の２ｙに示す構成選択において図１６の検索結果一覧から所望の構成情報のタイトルが選択される。この結果、図１の構成情報検索システム１ｏは図１３の検索情報テーブルにおいてどの検索情報ＩＤ１３ａが選択されたかを識別し、該当する構成情報ＩＤ１３ｂを特定する。そして構成情報検索システム１ｏはコンピュータシステム構成支援システム１ｃに構成情報ＩＤを通知し、コンピュータシステム構成支援システム１ｃは製品情報データベース１ｄから該当する構成情報ＩＤの構成情報１ｉを読み込むとともに、エンドユーザ端末１ａに表示する。これは図１１のような画面である。ユーザはコンピュータシステム構成支援システム１ｃに読み込まれた構成情報を修正する。これは図２の２ｚに該当する。修正が終了すると、図１１の構成保存ボタン１１ｅを押す。ここでコンピュータシステム構成支援システム１ｃは製品情報データベース１ｄに修正した構成情報を保存するが、前回の読み出しで利用した構成情報ＩＤとは別の構成情報ＩＤを新規に取得し、保存する。これにより、他のユーザの構成情報を保存したまま、新規構成情報が保存された。このとき、図２の検索情報の入力２ｚｚｚも新規に実施され新しい検索情報ＩＤが確保される。また、図１３の作成者ＩＤ１３ｅも新規に構成を保存したユーザＩＤが付与される。
【００５１】
以上、本発明による有用な実施形態である、コンピュータシステムに関する専門知識を有しないユーザが構成情報を検索、活用するフローについて説明した。
【００５２】
これまで説明してきた、本発明による第１の実施形態についてまとめると、本発明は、従来、一般的に行われてきた構成作成に加えて、構成情報から構成部品の情報を抽出した検索情報を生成し、これを一覧表示することとした。この検索情報を画面に一覧表示することにより、部品点数が多い構成情報であっても、構成情報同士の違いが識別しやくすなり、所望の構成情報を迅速かつ正確に選択可能となる。さらに、検索情報を利用して一覧表示される構成情報の絞込みを実施することにより、さらに所望の構成情報の選択が容易となる。このため、コンピュータシステムに熟練したユーザが作成した構成情報を、専門知識を有しないユーザでも簡単に参照、比較することができ、所望の構成情報を迅速かつ正確に選択して、参考にしたり、微小な修正を加えることにより、複雑なコンピュータシステムの構成作成が可能となる。
【００５３】
図１７は本発明にかかわる第２の実施の形態によるシステムの全体構成を示すブロック図である。同図は、実施例１の図１に比べ、検索情報データベースに電子文書を格納し、活用したことに特徴がある。電子文書には、構成情報の特徴、セールスポイント、等のタイトルでは記述しきれない情報を記述する。このような電子文書を参照すれば、構成情報を選択する場合の有力な指標となる。また、電子文書をキーワードにより検索することにより、検索手段としても活用できる。
【００５４】
同図について説明すれば、コンピュータシステム構成支援システム１ｃから電子文書１７ｆを検索情報１ｑと関連付けした状態で検索情報データベース１ｖに格納する。エンドユーザ端末１ａから検索キーワード１７ａが入力されると構成情報検索システム１ｏが電子文書１７ｆに対して全文検索を実行する。この結果、検索キーワードがヒットした電子文書と関連付けられた検索情報が抽出１７ｂされ、結果１７ｇが構成情報検索システム１ｏを介してエンドユーザ端末１ａに図１６のような画面として表示される。また、ユーザが図１６のような検索結果一覧表示の画面においてタイトルを選択すると、構成情報検索システム１ｏにおいて図１３の検索情報ＩＤ１３ａが識別され、関連付け１７ｃされた電子文書１７ｆが読み出され１７ｄ、構成情報検索システム１ｏを介してエンドユーザ端末１ａに表示される。
【００５５】
図１８は本発明にかかわる第２の実施例によるシステムの動作フローである。構成情報を新規に作成するフローは実施例１においては図２の２ｂから２ｈであったが、図２に比べて図１８では１８ａの電子文書の添付が追加されている点に特徴がある。
【００５６】
図１９は図１８の２ｇおよび１８ａを説明した図であり、検索情報の取り込み、電子文書の添付を行う画面である。同図は実施例１の図１２ｂに比べて電子文書名１９ａが追加されている点に特徴がある。該当欄１９ａに電子文書のファイル名を入力する。検索情報保存ボタン１９ｂを選択することにより、図１の検索情報データベース１ｖに検索情報１ｑおよび電子文書１７ｆが格納される。
【００５７】
図２０は保存された図１の検索情報１ｑの例である。実施例１の図１３と比べて、電子文書名２０ａが追加されている点に特徴がある。同図では、電子文書名と検索情報ＩＤ１３ａとの関連付けを容易化するため、電子文書名を検索情報ＩＤ１３ａと一致した名称にしてある。例えば、電子文書の０００１．ｔｘｔでキーワードがヒットした場合、電子文書名「０００１」を抽出し、これを検索情報ＩＤ１３ａとして識別することにより、電子文書の検索結果と検索情報ＩＤ１３ａが対応付けられる。これとは別に、電子文書の中に特定のタグを定義し、ここに検索情報ＩＤ１３ａを記載しても同様な効果が得られる。
【００５８】
次に、構成情報を修正するフローについて図１８を用いて説明する。同フローは実施例１では図２の２ｉから２ｒに該当していたが、図２に比べて図１８では１８ｂの検索条件のキーワード入力、１８ｃの電子文書の参照、１８ｄの電子文書の添付、が追加されている点に特徴がある。これは、図２の２ｓから２ｚｚｚが該当する構成情報の検索フローについても同様である（図２に比べて図１８では検索条件のキーワード入力１８ｅ、電子文書の参照１８ｆ、電子文書の添付１８ｇが追加されていることを指す）。
【００５９】
図２１は検索条件入力画面であり、図１８の１８ｂに該当する。実施例１の図１５と比べてキーワード入力欄２１ａが追加されていることに特徴がある。このキーワードの使い方は上記で既に説明した。
【００６０】
図２２は電子文書の参照画面であり、図１８の１８ｃに該当する。図１６の検索結果一覧においてタイトルをクリックすることにより図２２の画面に遷移する。電子文書には構成情報に関する概要、仕様、特徴、等がテキスト文で記載されている。同文書を読んで、構成情報を利用するべきと判断すれば、構成表示ボタン２２ａを押す。この結果、図１１の構成内容一覧画面に遷移する。参考資料２２ｂは、構成情報を販売した時に作成した提案資料等にリンクを張ってあり、提案資料を閲覧、ダウンロードできる。
【００６１】
これまで説明してきた、本発明による第２の実施の形態についてまとめると、本発明では、コンピュータシステムの構成情報と電子文書を関連付けて格納する。電子文書には、構成情報に関する概要、仕様、特徴、等を記載する。電子文書を参照することにより、構成情報（部品の組み合わせ情報）だけでは伝達できない構成情報の特徴、セールスポイントを伝達することが可能となる。この内容は、コンピュータシステムに熟練したユーザが作成した構成事例を、専門知識を有しないユーザが活用する際の有用な指標となる。これにより、所望の構成情報を迅速かつ正確に選択し、参考にしたり、微小な修正を加えたりして、複雑なコンピュータシステムの構成作成が可能となる。さらに、キーワードを指定して電子文書を検索することにより、電子文書と関連付けられた構成情報を参照できる。ここで、検索用途としての電子文書ではキーワードさえ含まれていれば文書の形態は問わないことに注意を要する。このため、インターネット等で活用されている電子メールのような不定形な文章でも検索手段としては活用できる。すなわち、構成情報にこうした既存の電子文書を紐付けして格納すればよい。この場合、新たに電子文書を用意する必要が無くなり、検索環境の構築の手間を省くことができる。
【００６２】
上記実施の形態では、図１の電子文書１７ｆを検索情報サーバ１ｖに置いたが、電子文書が他のサーバにあっても良い。この場合、図２０の検索情報の電子文書名２０ａを電子文書の所在情報、例えばＵＲＬのようなリンクを張るための情報を記載しても、上記実施の形態と同様な効果が得られる。
【００６３】
図２３は本発明にかかわる第３の実施の形態によるシステムの全体構成を示すブロック図である。同図は、実施例１の図１に比べ、検索情報データベース１ｖに付帯情報２３ａを格納し、活用したことに特徴がある。付帯情報とは、構成情報には含まれない情報であり、例えばコンピュータシステムの用途、仕様のようなものである。実施の形態１または２で説明してきた検索情報は構成情報をベースとして生成された情報であるのに対して、付帯情報は構成情報からは導かれない情報である点で検索情報とは異なる。
【００６４】
ここで、コンピュータシステムの構成設計の手順を説明する。コンピュータシステムを設計する場合、まず、ユーザが実現したい機能や用途、達成したい仕様（ユーザ数、応答性能）を決める。次に、それを実現するソフトウェアを決める。最後に、ソフトウェアを仕様に合致した条件で動作させられるハードウェアを決定する。このためには、用途に応じたソフトウェアをサンプルのコンピュータシステムに搭載し、構成（ＣＰＵ、メモリ、ＨＤＤ容量、等）を変えながら、負荷（同時ログインユーザ数、等）の増加に対する応答速度の低下を測定し、ユーザの仕様を満足する最低価格の構成を選定する実地検証が必要となる。ここで、こうした実地検証を経て作成された構成情報は、使用条件（用途、負荷）と関連付けて再活用することにより、実地検証の手間を省くことができる。
【００６５】
図２３について説明すれば、コンピュータシステム構成支援システム１ｃから付帯情報２３ａを入力２３ｂし、検索情報１ｑと関連付けした状態２３ｃで検索情報データベース１ｖに格納する。エンドユーザ端末１ａから検索条件２３ｄが入力されると構成情報検索システム１ｏが付帯情報２３ａおよび検索情報１ｑに対して検索を実行する。この結果、検索結果２３ｅが構成情報検索システム１ｏを介してエンドユーザ端末１ａに表示される。以降の手続きは実施例１の図１と同様である。
【００６６】
図２４は本発明にかかわる第３の実施の形態によるシステムの動作フローである。まず、構成情報を新規に作成するフローについて説明する。前記フローは、実施例１においては図２の２ｂから２ｈに該当するが、図２に比べて図２４では２４ａの付帯情報の入力が追加されている点に特徴がある。
【００６７】
図２５は図２４の２４ａに該当する付帯情報の入力画面である（検索情報の取り込みも含まれる）。同図は実施例１の図１２ｂに比べて付帯情報２５ａが追加されている点に特徴がある。同図には、付帯情報として、用途２５ｂ、ソフトウェア２５ｃ、最大ユーザ数２５ｄを入力する例が記載されている。これらの情報はコンピュータシステムを計画する際の検討書から引用できる場合が多い。用途２５ｂ、ソフトウェア２５ｃはプルダウンメニュー２５ｅにより予め登録した選択肢から選択する。最大ユーザ数２５ｄも、例えば、〜１００人、１００〜５００人、５００人〜のような選択肢から選択する。最大ユーザ数の選択肢は構成情報として蓄積されているコンピュータシステムの規模に応じて変更する。また、最大ユーザ数の代わりに、コンピュータシステムに対する負荷としてトランザクション数を用いても良い。検索情報保存ボタン２５ｆを選択することにより、図１の検索情報データベース１ｖに検索情報１ｑおよび付帯情報２３ａが格納される。ここで、付帯情報のなかに未定義のものがあると定義を促すアラームが表示されようにしても良い。より強固に入力を求める場合、付帯情報が未定義であると、検索情報登録ボタン２５ｆを押しても先に進めないような機能を盛り込んでも良い。
【００６８】
図２６は保存された検索情報および付帯情報の例である。同図では、付帯情報を検索情報と同一テーブルで管理している。実施例１の図１３と比べて、用途２６ａ、ソフトウェア２６ｂ、最大ユーザ数２６ｃの付帯情報が項目として追加されている点に特徴がある。
【００６９】
次に、構成情報を修正するフローについて説明する。前記フローは、実施例１では図２の２ｉから２ｒに該当するが、図２に比べて本実施例の図２４では２４ｂの検索条件入力（付帯情報）および２４ｃの付帯情報の修正が追加されている点に特徴がある。これは、図２の２ｓから２ｚｚｚが該当する構成情報の検索フローについても同様である（図２に比べて図２４では検索条件入力（付帯情報）２４ｄおよび付帯情報の修正２４ｅが追加されていることを指す）。  図２７は検索条件入力画面であり、図２４の２４ｂに該当する。実施例１の図１５と比べて付帯情報の入力欄２７ａが追加されていることに特徴がある。同図では、会計用途で最大ユーザ数が１００〜５００人で利用できるコンピュータシステムを検索する条件が設定されている。
【００７０】
図２８は検索結果一覧画面であり、図２４の２４ｃに該当する。検索条件が付帯情報２８ａであり、会計用途で最大ユーザ数が１００〜５００人で利用できるコンピュータシステムを検索する条件が設定されている。この結果、用途２８ｂが会計であり、最大ユーザ数２８ｃが１００〜５００人である構成情報のリストが表示される。さらに詳しい情報を知りたい場合、実施例２の電子文書と組み合わせることにより、実際に何人のユーザで運用したシステムなのか等の具体的な情報を把握することができる。同リストの利用方法の詳細については、実施例１の図１６で説明した。これまで説明してきた、本発明による第３の実施形態についてまとめると、本発明では、コンピュータシステムの構成情報を、部品情報のみでなく、用途、ソフトウェア、最大ユーザ数といったコンピュータシステムの使用条件に関する項目を検索情報として持たせたことに特徴がある。実際にソフトウェアを搭載し、部品構成を変えながら性能測定を行う等の実地検証を経て作成された構成情報は、使用条件（用途、負荷）と関連付けて再活用することにより、実地検証の手間を省くことができる。本システムを利用することにより、コンピュータシステムの専門知識を有しないユーザであっても、希望の用途、条件において類似システムを容易に検索することが可能となり、営業従事者においては商談の機会を増大させることができる。また、顧客においては、予算の概算を把握することができる。
【００７１】
以上、本発明の実施の形態につき説明してきた。上記説明では、実施例２および実施例３を別々に説明したが、これらを組み合わせることにより、電子文書の詳細な情報および付帯情報の用途、使用条件の両方の情報に基づき構成情報を選択することが可能となり、より迅速かつ正確に所望の構成情報を特定できるようになる。
【００７２】
【発明の効果】
本発明により、サーバ製品のように複雑なコンピュータシステムの構成作成が、熟練を要することなく短時間で実施可能となり、顧客仕様に合致したコンピュータシステムの見積書を正確かつ迅速に提供可能であり、販売工数を削減させるとともに販売機会を増大させる効果が期待できる。
【図面の簡単な説明】
【図１】本発明にかかわる第１の実施の形態によるシステムの全体構成を示すブロック図である。
【図２】本発明にかかわる第１の実施の形態によるシステムの動作フロー図である。
【図３】コンピュータシステム構成支援システムのトップページ。
【図４】ユーザ認証画面。
【図５】機能一覧画面。
【図６】機種選定の画面。
【図７】ラックに搭載する機器を選択する画面。
【図８】搭載機器の部品構成を決定する画面。
【図９】ケーブル接続を定義する画面。
【図１０】サービス内容を定義する画面。
【図１１】構成作成の結果を確認したり、保存、出力するための画面。
【図１２】検索情報の入力画面。
【図１３】検索情報の一覧表示。
【図１４】構成情報一覧の画面。
【図１５】検索条件入力画面。
【図１６】検索結果一覧画面。
【図１７】本発明にかかわる第２の実施の形態によるシステムの全体構成を示すブロック図。
【図１８】本発明にかかわる第２の実施例によるシステムの動作フロー。
【図１９】検索情報の取り込み、電子文書の添付を行う画面。
【図２０】保存された検索情報の例。
【図２１】検索条件入力画面。
【図２２】電子文書の参照画面。
【図２３】本発明にかかわる第３の実施の形態によるシステムの全体構成を示すブロック図。
【図２４】本発明にかかわる第３の実施の形態によるシステムの動作フロー。
【図２５】付帯情報の入力画面。
【図２６】保存された検索情報および付帯情報の例。
【図２７】検索条件入力画面。
【図２８】検索結果一覧画面。
【符号の説明】
１ａ…エンドユーザ端末、１ｂ…インターネット、
１ｃ…コンピュータシステム構成支援システム、
１ｄ…製品情報データベース、１ｅ…製品データ情報、  １ｆ…構成制約情報、
１ｇ…製品データ管理システム、１ｉ…構成情報、１ｍ…発注システム、
１ｎ…生産システム、１ｏ…構成情報検索システム、１ｑ…検索情報、
１ｖ…検索情報データベース、２ａ…トップページ、２ｂ…ユーザ認証、
２ｃ…機能一覧構成作成、２ｄ…機種選択、２ｅ…構成作成、２ｆ…構成保存、
２ｇ…検索情報の入力、２ｈ…構成出力（見積作成）／発注、２ｉ…ユーザ認証、
２ｊ…機能一覧構成修正、２ｋ…構成情報一覧、２ｌ…検索条件入力、２ｍ…検索実行、
２ｎ…検索結果一覧、２ｏ…構成選択、２ｐ…構成修正、２ｑ…構成保存、
２ｒ…検索情報の修正、２ｓ…ユーザ認証、２ｔ…機能一覧構成検索、
２ｕ…構成情報一覧、２ｖ…検索条件入力、２ｗ…検索実行、２ｘ…検索結果一覧、
２ｙ…構成選択、２ｚ…構成修正、２ｚｚ…構成新規保存、２ｚｚｚ…検索情報の入力、
１７ｆ…電子文書、１８ａ…電子文書の添付、１８ｂ…検索条件入力（キーワード）、
１８ｃ…電子文書の参照、１８ｄ…電子文書の修正、
１８ｅ…検索条件入力（キーワード）、１８ｆ…電子文書の参照、
１８ｇ…電子文書の添付、２３ａ…付帯情報、２４ａ…付帯情報の入力、
２４ｂ…検索条件入力（付帯情報）、２４ｃ…付帯情報の修正、
２４ｄ…検索条件入力（付帯情報）、２４ｅ…付帯情報の入力
【図１】
2004259226.tif 000003
【図２】
2004259226.tif 000004
【図３】
2004259226.tif 000005
【図４】
2004259226.tif 000006
【図５】
2004259226.tif 000007
【図６】
2004259226.tif 000008
【図７】
2004259226.tif 000009
【図８】
2004259226.tif 000010
【図９】
2004259226.tif 000011
【図１０】
2004259226.tif 000012
【図１１】
2004259226.tif 000013
【図１２】
2004259226.tif 000014
【図１３】
2004259226.tif 000015
【図１４】
2004259226.tif 000016
【図１５】
2004259226.tif 000017
【図１６】
2004259226.tif 000018
【図１７】
2004259226.tif 000019
【図１８】
2004259226.tif 000020
【図１９】
2004259226.tif 000021
【図２０】
2004259226.tif 000022
【図２１】
2004259226.tif 000023
【図２２】
2004259226.tif 000024
【図２３】
2004259226.tif 000025
【図２４】
2004259226.tif 000026
【図２５】
2004259226.tif 000027
【図２６】
2004259226.tif 000028
【図２７】
2004259226.tif 000029
【図２８】
2004259226.tif 000030